(57)【要約】      （修正有）【課題】円筒状部材上の指標部の発光輝度を均一なものにできる表示装置を提供する。【解決手段】窓部１０ａを有する表示板１０と、表示板１０を照明する光源９と、表示板１０の背面側であって、窓部１０ａの内径より径の小さい開口部１２ａを有した導光体と、導光体の内周側に配置される遮光部材１３と、導光体が保持されるケース体１１と、を備えた表示装置において、導光体は、開口部１２ａに沿って複数の切り欠き部を有し、遮光部材１３は、切り欠き部と対応した係止片を有し、導光体を開口部１２ａに沿って移動させることで係止片を切り欠き部に係合させることにより、切り欠き部と、係止片との嵌合を回転スライドによって行うことが可能となり、溶着固定の複雑さを解消し、組み付け工程を簡素化した表示装置。【選択図】図２
2014032070.tif 000002
【特許請求の範囲】
【請求項１】
窓部を有する表示板と、
前記表示板を照明する光源と、
前記表示板の背面側であって、前記窓部の内径より径の小さい開口部を有した導光体と、
前記導光体の内周側に配置される遮光部材と、
前記導光体が保持されるケース体と、を備えた表示装置において、
前記導光体は、前記開口部に沿って複数の切り欠き部を有し、
前記遮光部材は、前記切り欠き部と対応した係止片を有し、
前記導光体を前記開口部に沿って移動させることで前記係止片を前記切り欠き部に係合させることを特徴とする表示装置。
【請求項２】
湾曲状に配列された指標部を有する表示板と、
前記表示板の内周側に配置される表示手段と、
前記表示手段の裏面側に配設された駆動本体と、
前記駆動本体の回転軸に装着され前記表示手段の周囲へと迂回するアーム部と前記指標部を指示する指示部とを備えた指針と、
前記表示板を照明する光源と、
前記表示板の背面側であって、前記指針の外周側に配置され、前記表示手段が視認されるように開口部を有した断面コ字状の導光体と、
前記導光体の内周側に配置される遮光部材と、
前記導光体が保持されるケース体と、を備え
前記導光体は、上面部と下面部とからなり、
前記上面部は、前記表示板に面した第１の平面部と、前記第１の平面部と連続して形成される第１の側面部と、前記第１の側面部と前記下面部との接合箇所に第１の接合部を有し、
前記下面部は、前記表示手段の裏面側に位置する第２の平面部と、前記第２の平面部と連続して形成される第２の側面部と、前記第１の側面部と前記第２の側面部との接合箇所に第２の接合部を有し、
前記遮光部材は、前記第１の接合部に係合される係合部を有した表示装置において、
前記第１の平面部は、前記開口部に沿って複数の切り欠き部を有し、
前記遮光部材は、前記切り欠き部と対応した係止片を有し、
前記導光体を前記開口部に沿って移動させることで前記係止片を前記切り欠き部に係合させることを特徴とする表示装置。
【請求項３】
前記第１の平面部は、少なくとも１つの位置決め凹部を有し、前記遮光部材には、前記位置決め凹部に対応した位置決め凸部が設けられていることを特徴とする請求項２に記載の表示装置。
【発明の詳細な説明】
【技術分野】
【０００１】
本発明は、自動車等に搭載される表示装置に関するものである。
【背景技術】
【０００２】
従来の表示装置は、特許文献１に開示されているように、光源と、目盛部が形成された表示板と、表示板の目盛部に沿って設けられた略リング状の導光体を備え、背後に設けられた光源の光によって発光する表示装置が知られている。
【先行技術文献】
【特許文献】
【０００３】
【特許文献１】特開２０１１―１４５３０４号公報
【発明の概要】
【発明が解決しようとする課題】
【０００４】
上記特許文献１の様な表示装置においては、導光体から漏れ出る光によって、周辺の部材が光り過ぎてしまうという問題点があり、導光体に遮光部材を沿わせて配置することで漏光を防ぐという手法が一般的であるが、導光体と遮光部材とを溶着などで固定する場合、工程が複雑になり煩わしいという問題点があった。
【課題を解決するための手段】
【０００５】
そこで本発明は、窓部を有する表示板と、
前記表示板を照明する光源と、
前記表示板の背面側であって、前記窓部の内径より径の小さい開口部を有した導光体と、
前記導光体の内周側に配置される遮光部材と、
前記導光体が保持されるケース体と、を備えた表示装置において、
前記導光体は、前記開口部に沿って複数の切り欠き部を有し、
前記遮光部材は、前記切り欠き部と対応した係止片を有し、
前記導光体を前記開口部に沿って移動させることで前記係止片を前記切り欠き部に係合させるものである。
【０００６】
また本発明は、湾曲状に配列された指標部を有する表示板と、
前記表示板の内周側に配置される表示手段と、
前記表示手段の裏面側に配設された駆動本体と、
前記駆動本体の回転軸に装着され前記表示手段の周囲へと迂回するアーム部と指標部を指示する指示部とを備えた指針と、
前記指示部を発光させる光源と、
前記表示板の背面側であって、前記指針の外周側に配置され、前記表示手段が視認されるように開口部を有した断面コ字状の導光体と、
前記導光体の内周側に配置される遮光部材と、
前記導光体が保持されるケース体と、を備え
前記導光体は、上面部と下面部とからなり、
前記上面部は、前記表示板に面した第１の平面部と、前記第１の平面部と連続して形成される第１の側面部と、前記第１の側面部と前記下面部との接合箇所に第１の接合部を有し、
前記下面部は、前記表示手段の裏面側に位置する第２の平面部と、前記第２の平面部と連続して形成される第２の側面部と、前記第１の側面部と前記第２の側面部との接合箇所に第２の接合部を有し、
前記遮光部材は、前記第１の接合部に係合される係合部を有した表示装置において、
前記第１の平面部は、前記開口部に沿って複数の切り欠き部を有し、
前記遮光部材は、前記切り欠き部と対応した係止片を有し、
前記導光体を前記開口部に沿って移動させることで前記係止片を前記切り欠き部に係合させるものである。
【０００７】
また本発明は、前記第１の平面部は、少なくとも１つの位置決め凹部を有し、前記遮光部材には、前記位置決め凹部に対応した位置決め凸部が設けられている。
【発明の効果】
【０００８】
本発明によれば、溶着固定の複雑さを解消し、組み付け工程を簡素化した計器を提供することができる。
【図面の簡単な説明】
【０００９】
【図１】本発明の第１実施形態を示す表示装置の正面図。
【図２】同表示装置のＡ−Ａ断面図。
【図３】同表示装置のＢ−Ｂ断面図。
【図４】本発明の導光体と遮光部材の斜視図。
【図５】導光体と遮光部材との固定前後を示す図。
【図６】導光体の正面図。
【図７】図６のＣ−Ｃ断面図。
【発明を実施するための形態】
【００１０】
以下、本発明の実施形態に係る表示装置を添付の図面を参照して具体的に説明する。
【００１１】
本実施形態の表示装置は、車両の速度を表示するものであり、液晶表示器からなる表示手段１と、駆動本体２と、アーム部３と指示部５とを備えた指針６と、指示部５を発光させる第１の光源７と、回路基板８と、この回路基板８に実装され,後述する表示板を照明する第２の光源９とを備えている。
【００１２】
また、表示装置は、表示手段１の表面側に配置された表示板１０と、表示手段１が保持されるケース体１１と、このケース体１１に保持される導光体１２と、この導光体１２の内周側に配置される遮光部材１３とを備えている。
【００１３】
表示手段１は、車両に関する情報などを表示するものである。車両に関する情報としては、経路誘導、車両に関する警告表示、また車両の外気温などを表示するものであって、例えば液晶表示素子を用いた液晶表示器である。
【００１４】
指針６は、アーム部３と指示部５とで構成されている。アーム部３は、合成樹脂からなり、表示手段１の外周を迂回するようにコ字状をしており、一端に指示部５を保持するとともに、他端で、駆動本体２の回転軸２１に装着されるものである。
【００１５】
指示部５は、アーム部３に固定され、アーム部３から表示手段１の中心方向とは反対側へ延設されている。そして、指示部５は、後述する表示板１０の指標部４を指示するものである。
【００１６】
表示板１０は、合成樹脂などの板材を圧空成形した絞り文字板からなり、湾曲状に設けられた指標部４が印刷され、表示手段１を透視するための窓部１０ａが設けられている。
【００１７】
ケース体１１は、遮光性の合成樹脂からなり、表示手段１、駆動本体２、指針６および導光体１２、遮光部材１３などを収納するものである。
【００１８】
導光体１２は、光透過性の合成樹脂から形成され、遮光部材１３に重ねて配置される。導光体１２の断面は、それぞれ形状がＬ字型の上面部１２１と下面部１２２とが接合されてコ字状となる。また、中央部分には、表示手段１が視認可能となるように、開口部１２ａが設けられている。
【００１９】
上面部１２１は、表示板１０に面した第１の平面部１２１ａと、第１の平面部１２１ａと連続して形成される第１の側面部１２１ｂと、第１の側面部１２１ｂと下面部１２２との接合箇所に第１の接合面１２１ｃと、後述する係合部１３１が組み付けられる組み付け溝１２１ｄを有している。
【００２０】
第１の平面部は、遮光部材１３と面する側にシボ加工が施された拡散処理部１２１ｅを有している。
【００２１】
下面部１２２は、表示手段１の裏面側に位置する第２の平面部１２２ａと、第２の平面部１２２ａと連続して形成される第２の側面部１２２ｂと、第１の側面部１２１ｂと第２の側面部１２２ｂとの接合箇所に第２の接合面１２２ｃを有し、第１の接合面１２１ｃは、第２の接合面１２２ｃよりも幅広に形成されている。
【００２２】
第２の平面部１２２ａは、光源９からの光を受光する複数の受光部１２２ｆを有している。
【００２３】
遮光部材１３は、遮光性の合成樹脂からなり、導光体１２の内周側に配置される。遮光部材１３は、導光体１２の第１の接合面１２１ｃに設けられた組み付け溝１２１ｄに組み付けられる係合部１３１を有している。
【００２４】
また、第１の平面部１２１ａには、開口部１２ａに沿って複数の切り欠き部１２１０が形成されている。切り欠き部１２１０は、図６（ａ）に示すように、左側に後述する係止片１３１０が係合される係合片１２１０ａが形成されている。
【００２５】
また、遮光部材１３の切り欠き部１２１０に対応する箇所には、複数の係止片１３１０が形成されている。係止片１３１０は、開口部１２ａに沿って左方向にスライドさせることで係合片１２１０ａを収納し、導光体１２が遮光部材１３に固定される。
【００２６】
また、第１の平面部１２１ａには、少なくとも１つの位置決め凹部１２１１を有し、遮光部材１３には、位置決め凹部１２１１に対応した位置決め凸部１３１１が設けられている。係止片１３１０を左方向にスライドさせる際に、位置決め凹部１２１１が位置決め凸部に嵌合されることで、それ以上はスライドすることができず位置決めされる。
【００２７】
このように、本実施形態では、湾曲状に配列された指標部を有する表示板１０と、表示板１０の内周側に配置される表示手段１と、表示手段１の裏面側に配設された駆動本体２と、駆動本体２の回転軸２１に装着され表示手段１の周囲へと迂回するアーム部３と指標部４を指示する指示部５とを備えた指針６と、指示部５を発光させる光源９と、表示板１０の背面側であって、指針６の外周側に配置され、表示手段１が視認されるように開口部１２ａを有した断面コ字状の導光体１２と、導光体１２の内周側に配置される遮光部材１３と、導光体１２が保持されるケース体１１と、を備え、導光体１２は、上面部１２１と下面部１２２とからなり、上面部１２１は、表示板１０に面した第１の平面部１２１ａと、第１の平面部１２１ａと連続して形成される第１の側面部１２１ｂと、第１の側面部１２１ｂと下面部１２２との接合箇所に第１の接合部１２１ｃを有し、下面部１２２は、表示手段１の裏面側に位置する第２の平面部１２２ａと、第２の平面部１２２ａと連続して形成される第２の側面部１２２ｂと、第１の側面部１２１ｂと第２の側面部１２２ｂとの接合箇所に第２の接合部１２２ｃを有し、遮光部材１３は、第１の接合部１２１ｃに係合される係合部１３１を有した表示装置において、第１の平面部１２１ａは、開口部１２ａに沿って複数の切り欠き部１２１０を有し、遮光部材１３は、切り欠き部１２１０と対応した係止片１３０を有し、導光体１２を開口部１２ａに沿って移動させることで係止片１３１０を切り欠き部１２１０に係合させることにより、切り欠き部１２１０と、係止片１３１０との嵌合を回転スライドによって行うことが可能となり、溶着固定の複雑さを解消し、組み付け工程を簡素化した表示装置を提供することができる。
【００２８】
また、本実施形態では、第１の平面部１２１ａは、少なくとも１つの位置決め凹部１２１１を有し、遮光部材１３には、位置決め凹部１２１１に対応した位置決め凸部１３１１が設けられていることによって、簡単な構造で位置決めが可能な表示装置を提供することができる。
【符号の説明】
【００２９】
１  液晶表示器（表示手段）
２  駆動源
３  アーム部
４  指標部
５  指示部
６  指針
７  第１の光源
８  回路基板
９  第２の光源
１０  表示板
１１  ケース体
１２  導光体
１３  遮光部材
１２１上面部
１２１ａ  第１の平面部
１２１ｂ  第１の側面部
１２１ｃ  第１の接合部
１２１ｄ  組み付け溝
１２１ｅ  拡散処理部
１２１ｇ  切り欠き部
１２１ｈ  位置決め凹部
１２２  下面部
１２２ａ  第２の平面部
１２２ｂ  第２の側面部
１２２ｃ  第２の結合部
１２２ｆ  受光部
１２２ｇ  係止片
１２２ｈ  位置決め凸部
１３１  係合部
１２１０  切り欠き部
１２１０ａ  係合片
１３１０  係止片
【図１】
2014032070.tif 000003
【図２】
2014032070.tif 000004
【図３】
2014032070.tif 000005
【図４】
2014032070.tif 000006
【図５】
2014032070.tif 000007
【図６】
2014032070.tif 000008
【図７】
2014032070.tif 000009